(57)【要約】【課題】建物の鉄骨建方を行う場合に、工具や資材が建物外側に落下するのを容易に防止できる、建物構築方法を提供すること。【解決手段】建物構築方法は、建物１のｎ節の外周鉄骨柱２０Ａ既に建て込んだ外周鉄骨柱２０の上に建て込んで仮固定するステップＳ１と、外周鉄骨柱２０Ａの頂部同士の間に建物１の外周に沿って延びる仮設梁６５を取り付けて、仮設梁６５に垂直養生ネット６３を取り付けるステップＳ２と、外周鉄骨柱２０Ａおよび垂直養生ネット６３に囲まれた空間を作業空間Ｓとして、作業空間Ｓ内の外周鉄骨梁３０Ａおよび内周鉄骨梁４０Ａを取り付けて外周鉄骨柱２０Ａとともに本固定するとともに、外周鉄骨柱２０Ａ同士の間に建物１の外周に沿って外周プレキャストコンクリート床５１を設置するステップＳ３と、ステップＳ１〜Ｓ３を建物１の下の節から上の節に向かって繰り返すステップＳ４と、を備える。【選択図】図６
2020056234.tif 000002
【特許請求の範囲】
【請求項１】
鉄骨系の建物を構築する建物構築方法であって、
前記建物の複数の層を一節として、所定の節の外周鉄骨柱を既に建て込んだ外周鉄骨柱の上に建て込んで仮固定する第１工程と、
前記外周鉄骨柱の頂部同士の間に前記建物の外周に沿って延びる仮設梁を取り付けて、当該仮設梁に垂直養生ネットを取り付ける第２工程と、
前記外周鉄骨柱および前記垂直養生ネットに囲まれた空間を作業空間として、前記作業空間内の残りの鉄骨部材を取り付けて前記外周鉄骨柱とともに本固定するとともに、前記外周鉄骨柱同士の間に前記建物の外周に沿ってプレキャストコンクリート床を設置する第３工程と、
前記第１工程から前記第３工程を、前記建物の下の節から上の節に向かって繰り返す第４工程と、を備えることを特徴とする建物構築方法。
【請求項２】
前記第２工程では、前記垂直養生ネットの上端を、前記所定の節の外周鉄骨柱の上端より高くし、前記垂直養生ネットの下端を、前記所定の節の最下階の床面よりも低くすることを特徴とする請求項１に記載の建物構築方法。
【請求項３】
前記第３工程にて前記作業空間内の残りの鉄骨部材を取り付ける際、前記建物の外周に沿って延びる外周鉄骨梁を取り付けて、その後、前記建物の内側に複数の内周鉄骨梁を取り付けることを特徴とする請求項１または２に記載の建物構築方法。
【発明の詳細な説明】
【技術分野】
【０００１】
本発明は、鉄骨系の建物を構築する建物構築方法に関する。
【背景技術】
【０００２】
従来より、鉄骨建方を行う際の養生方法として、以下のような方法が提案されている。
特許文献１には、建物の外壁面に取り付けられる枠付養生ネットが示されている。この枠付養生ネットには、建物躯体に着脱される取付用アームおよび支持アームが設けられている。
特許文献２には、外壁ＰＣ板の上端部に外部足場を取り付けておき、この状態で、外壁ＰＣ板を揚重して、外壁ＰＣ板を建物の梁鉄骨に上吊状態で取付けるとともに、外部足場を外壁ＰＣ板が取付けられた梁鉄骨上に跳出し状態で取付ける建物外周部の施工方法が示されている。
特許文献３には、上下に延びる養生枠および養生ネットによって建物の躯体外面を養生する養生装置が示されている。
特許文献４には、建物の３層を一節として、所定の節の柱および大梁の鉄骨部材の建方を先行して行い、この建て込んだ鉄骨部材を仮固定するステップと、所定の節の最下層を作業空間とし、作業空間の外周側面に防護壁を配置し、作業空間の残りの鉄骨部材を取り付けて、先行して建て込んだ鉄骨部材とともに本固定するステップと、防護壁を一層分上方に移動して、作業空間の直上の層を新たな作業空間とし、新たな作業空間の残りの鉄骨部材を取り付けて、先行して建て込んだ鉄骨部材とともに本固定する作業を、下層から上層に向かって繰り返すステップと、を備える建物の鉄骨建方方法が示されている。
【先行技術文献】
【特許文献】
【０００３】
【特許文献１】特開平６−１９３２７２号公報
【特許文献２】特開平８−６０８５２号公報
【特許文献３】特開２００１−１４０４７４号公報
【特許文献４】特開２０１７−２１０７９６号公報
【発明の概要】
【発明が解決しようとする課題】
【０００４】
本発明は、建物の鉄骨建方を行う場合に、工具や資材が建物外側に落下するのを容易に防止できる、建物構築方法を提供することを課題とする。
【課題を解決するための手段】
【０００５】
本発明者らは、鉄骨系高層建物の構築方法として、外周鉄骨柱の外側に仮設梁を取り付けた後、その仮設梁から垂直養生ネットを垂れ下げて、外周鉄骨柱および垂直養生ネットに囲まれた空間を作業空間として、この作業空間内の残りの鉄骨部材の鉄骨建方工事を行うことで、建設工具や建設資材が建物の外側に落下するのを防止しつつ、鉄骨部材を所定の精度で効率よく建て込んで固定できる点に着眼して、本発明に至った。
第１の発明の建物構築方法は、鉄骨系の建物（例えば、後述の建物１）を構築する建物構築方法であって、前記建物の複数の層を一節として、所定の節の外周鉄骨柱（例えば、後述の外周鉄骨柱２０Ａ）を既に建て込んだ外周鉄骨柱の上に建て込んで仮固定する第１工程（例えば、後述のステップＳ１）と、前記外周鉄骨柱の頂部同士の間に前記建物の外周に沿って延びる仮設梁（例えば、後述の仮設梁６５）を取り付けて、当該仮設梁に垂直養生ネット（例えば、後述の垂直養生ネット６３）を取り付ける第２工程（例えば、後述のステップＳ２）と、前記外周鉄骨柱および前記垂直養生ネットに囲まれた空間を作業空間（例えば、後述の作業空間Ｓ）として、前記作業空間内の残りの鉄骨部材（例えば、後述の外周鉄骨梁３０Ａおよび内周鉄骨梁４０Ａ）を取り付けて前記外周鉄骨柱とともに本固定するとともに、前記外周鉄骨柱同士の間に前記建物の外周に沿ってプレキャストコンクリート床（例えば、後述の外周プレキャストコンクリート床５１）を設置する第３工程（例えば、後述のステップＳ３）と、前記第１工程から前記第３工程を、前記建物の下の節から上の節に向かって繰り返す第４工程（例えば、後述のステップＳ４）と、を備えることを特徴とする。
【０００６】
この発明によれば、所定の節ごとに、先行して外周鉄骨柱を建て込んで、この外周鉄骨柱同士の間に仮設梁を取付けて、さらにこの仮設梁に垂直養生ネットを取り付ける。これにより、外周鉄骨柱および垂直養生ネットに囲まれた作業空間の安全性を確保でき、この作業空間内で工具や資材が落下した場合であっても、この落下物が垂直養生ネットに引っ掛かるので、建物の外側に落下するのを防止できる。
また、作業空間において、建物外周に沿ってプレキャストコンクリート床を設置したので、この外周部のプレキャストコンクリート床により、建て込んだ鉄骨部材の剛性を高めることができる。
【０００７】
第２の発明の建物構築方法は、前記第２工程では、前記垂直養生ネットの上端を、前記所定の節の外周鉄骨柱の上端より高くし、前記垂直養生ネットの下端を、前記所定の節の最下階の床面よりも低くすることを特徴とする。
【０００８】
この発明によれば、垂直養生ネットの上端を所定の節の外周鉄骨柱の上端より高くすることで、垂直養生ネットを落下防止用の手摺としても利用できる。また、垂直養生ネットの下端を所定の節の最下階の床面よりも低くすることで、工具や資材が作業空間から建物外部に落下するのを防止できる。
【０００９】
第３の発明の建物構築方法は、前記第３工程にて前記作業空間内の残りの鉄骨部材を取り付ける際、前記建物の外周に沿って延びる外周鉄骨梁を取り付けて、その後、前記建物の内側に複数の内周鉄骨梁を取り付けることを特徴とする。
【００１０】
この発明によれば、先行して建て込んだ外周鉄骨柱に外周鉄骨梁を取り付けて、建物外周部の鉄骨柱梁架構の精度を確保した後、建物内側に複数の内周鉄骨梁を取り付けた。よって、内周鉄骨梁を取り付ける際に、内周鉄骨梁の取り付け位置を柔軟に調整できるため、鉄骨部材を高精度で建て込むことができる。
【発明の効果】
【００１１】
本発明によれば、建物の鉄骨建方を行う場合に、工具や資材が建物外側に落下するのを容易に防止できる、建物構築方法を提供できる。
【図面の簡単な説明】
【００１２】
【図１】本発明の一実施形態に係る建物の構築手順のフローチャートである。
【図２】建物の所定節の前節までの鉄骨建方が完了した状態を示す平面図である。
【図３】建物の構築手順の説明図（その１、所定節の外周鉄骨柱を建て込む状況を示す側面図）である。
【図４】建物の構築手順の説明図（その２、所定節の外周鉄骨柱に仮設梁および垂直養生ネットを取り付けた状態を示す側面図）である。
【図５】建物の構築手順の説明図（その３、作業空間が形成された状態を示す平面図）である。
【図６】建物の構築手順の説明図（その４、作業空間内で外周鉄骨梁を取り付けた状態を示す側面図）である。
【発明を実施するための形態】
【００１３】
本発明は、鉄骨系建物を対象とする建物構築方法である。具体的には、外周鉄骨柱の外側に仮設梁を取り付けた後、その仮設柱から垂直養生ネットを垂れ下げて、外周鉄骨柱および垂直養生ネットに囲まれた空間を作業空間として、この作業空間内の残りの鉄骨部材を建て込んで固定する。
以下、本発明の一実施形態について、図面を参照しながら説明する。
図１は、本発明の一実施形態に係る建物１の構築手順のフローチャートである。
建物１は、長手方向に４スパン、短手方向に２スパンの鉄骨造であり（図２参照）、建物１の複数の層ここでは３層を一節として、鉄骨部材１０の建方を行う。鉄骨部材１０は、建物１の外周に沿って配置された複数の外周鉄骨柱２０と、建物１の外周に沿って配置された外周鉄骨梁３０と、建物１の内側に配置された内周鉄骨梁４０と、を含んで構成される。このうち、今回鉄骨建方を行う、ｎ節の外周鉄骨柱２０を外周鉄骨柱２０Ａ、ｎ節の外周鉄骨梁３０を外周鉄骨梁３０Ａ、ｎ節の内周鉄骨梁４０を内周鉄骨梁４０Ａとする。
【００１４】
初期状態として、図２に示すように、建物１の（ｎ−１）（ｎは自然数）節までの鉄骨建方が完了しているものとする。すなわち、（ｎ−１）節までの外周鉄骨柱２０、外周鉄骨梁３０および内周鉄骨梁４０について本締めまで完了している。さらに、鉄骨梁３０、４０の間には、鋼製のデッキプレート５０が敷設されている。また、建物１の外周に沿って、外周鉄骨梁３０の上に外周プレキャストコンクリート床５１が設置されている。また、（ｎ−１）節の外周鉄骨柱２０の頂部には、ｎ節の外周鉄骨柱２０Ａを溶接するための仮設足場６０が取り付けられている（図３（ａ）、（ｂ）参照）。さらに、この仮設足場６０の上端で建物１の外側には、養生ネット６１が取り付けられている。
【００１５】
ステップＳ１では、図３（ａ）、（ｂ）に示すように、ｎ節の外周鉄骨柱２０Ａを揚重して、この建て込んだ外周鉄骨柱２０Ａを（ｎ−１）節の外周鉄骨柱２０の上に仮固定する。
外周鉄骨柱２０Ａには、外周鉄骨梁３０Ａおよび内周鉄骨梁４０Ａが接合される接合プレート２１が上下３段に設けられている。そこで、外周鉄骨柱２０Ａを建て込む前に、接合プレート２１の高さ位置に鉄骨梁３０Ａ、４０Ａの接合作業を行うための仮設足場６２を取り付けておく。また、外周鉄骨柱２０Ａの頂部に、後述の垂直養生ネット６３を取り付けるためのブラケット６４を取り付けておく。このブラケット６４の上端は、外周鉄骨柱２０Ａの上端よりも高くなっている。
【００１６】
ステップＳ２では、図４（ａ）、（ｂ）に示すように、ｎ節の外周鉄骨柱２０Ａのブラケット６４同士の間に、建物１の外周に沿って延びる仮設梁６５を取り付けて、この仮設梁６５およびブラケット６４に垂直養生ネット６３を取り付ける。この垂直養生ネット６３の上端は、ブラケット６４の上端に取り付けられており、これにより、ｎ節の外周鉄骨柱２０Ａの上端より高くなっている。また、垂直養生ネット６３の下端は、養生ネット６１に重なって、ｎ節の外周鉄骨柱２０Ａの最下階の床面つまりデッキプレート５０よりも低くなっている。
これにより、図５に示すように、外周鉄骨柱２０Ａおよび垂直養生ネット６３に囲まれた作業空間Ｓが形成される。
【００１７】
ステップＳ３では、図６（ａ）、（ｂ）に示すように、作業空間Ｓ内の残りの鉄骨部材１０である外周鉄骨梁３０Ａおよび内周鉄骨梁４０Ａを連結して取り付けて、外周鉄骨柱２０Ａとともに本締めして本固定する。ここで、外周鉄骨梁３０Ａおよび内周鉄骨梁４０Ａを取り付ける際、まず、建物１の外周に沿って外周鉄骨梁３０Ａを取り付けて、その後、建物１の内側に内周鉄骨梁４０Ａを取り付ける。
続いて、鉄骨梁３０Ａ、４０Ａの間に、図示しない鋼製のデッキプレートを敷設し、その後、外周鉄骨柱２０Ａ同士の間に、建物１の外周に沿って外周プレキャストコンクリート床５１を設置する。
ステップＳ４では、上述のステップＳ１〜Ｓ３を、建物１の下の節から上の節に向かって繰り返す。
【００１８】
本実施形態によれば、以下のような効果がある。
（１）所定の節ごとに、先行して外周鉄骨柱２０Ａを建て込んで、この外周鉄骨柱２０Ａ同士の間に仮設梁６５を取付けて、この仮設梁６５に垂直養生ネット６３を取り付ける。これにより、外周鉄骨柱２０Ａおよび垂直養生ネット６３に囲まれた作業空間Ｓの安全性を確保でき、この作業空間Ｓ内で工具や資材が落下した場合であっても、この落下物が垂直養生ネット６３に引っ掛かるので、建物１の外側に落下するのを防止できる。
また、作業空間Ｓにおいて、建物１の外周に沿って外周プレキャストコンクリート床５１を設置したので、この外周プレキャストコンクリート床５１により、建て込んだ鉄骨部材１０の剛性を高めることができる。また、外周鉄骨柱２０Ａに他の鉄骨部材（外周鉄骨梁３０Ａ、内周鉄骨梁４０Ａ）を本固定した後、建物１の外周部に外周プレキャストコンクリート床５１を設置することで、外周鉄骨柱２０Ａと鉄骨梁３０Ａ、４０Ａとの固定作業の施工性を高めることができる。
【００１９】
（２）垂直養生ネット６３の上端をｎ節の外周鉄骨柱２０Ａの上端より高くすることで、垂直養生ネット６３を落下防止用の手摺としても利用できる。また、垂直養生ネット６３の下端をｎ節最下階のデッキプレート５０の上面よりも低くすることで、工具や資材が作業空間Ｓから建物外部に落下するのを防止できる。
【００２０】
（３）外周鉄骨柱２０Ａに外周鉄骨梁３０Ａを取り付けて、建物外周部の鉄骨柱梁架構の精度を確保した後、建物１の内側に複数の内周鉄骨梁４０Ａを取り付けたので、内周鉄骨梁４０Ａを取り付ける際に、内周鉄骨梁４０Ａの取り付け位置を柔軟に調整できるため、鉄骨部材１０を高精度で建て込むことができる。
【００２１】
なお、本発明は前記実施形態に限定されるものではなく、本発明の目的を達成できる範囲での変形、改良等は本発明に含まれるものである。
【符号の説明】
【００２２】
Ｓ…作業空間  １…建物  １０…鉄骨部材
２０…外周鉄骨柱  ２０Ａ…（ｎ＋１）節の外周鉄骨柱  ２１…接合プレート
３０…外周鉄骨梁  ３０Ａ…（ｎ＋１）節の外周鉄骨梁
４０…内周鉄骨梁  ４０Ａ…（ｎ＋１）節の内周鉄骨梁
５０…デッキプレート  ５１…外周プレキャストコンクリート床
６０…仮設足場  ６１…養生ネット  ６２…仮設足場  ６３…垂直養生ネット
６４…ブラケット  ６５…仮設梁
【図１】
2020056234.tif 000003
【図２】
2020056234.tif 000004
【図３】
2020056234.tif 000005
【図４】
2020056234.tif 000006
【図５】
2020056234.tif 000007
【図６】
2020056234.tif 000008